(57)【要約】【課題】天板のどの位置から配線を導出しても収納することができ、かつその製造コストを低減することができる机を提供すること。【解決手段】天板４の後端とビーム部材３との間に配線を挿通させる配線溝６を形成するとともに、前記ビーム部材３の前面に、配線を支持する複数のフック状の支持部材７をビーム部材３の長手方向に摺動可能に配設する。【選択図】図１
2006180968.tif 000002
【特許請求の範囲】
【請求項１】
天板の後端とビーム部材との間に配線を挿通させる配線溝を設けた机において、前記ビーム部材の前面に、配線を支持する複数のフック状の支持部材をビーム部材の長手方向に摺動可能に配設したことを特徴とする机。
【請求項２】
支持部材の側部に、隣接する支持部材を繋ぐ連結部を設けたことを特徴とする請求項１記載の机。
【発明の詳細な説明】
【技術分野】
【０００１】
本発明は、机に関し、特に、天板の後端とビーム部材との間に配線を挿通させる配線溝を設け、ＯＡ機器用の信号コードや電源コード等の配線（本明細書において、単に「配線」という場合がある。）を収納するようにした机に関するものである。
【背景技術】
【０００２】
従来、天板の後端に沿って配線を収納するようにした机として、本件出願人による下記特許文献１に記載の机がある。
この机は、天板の後端とビーム部材との間に配線を挿通させる配線溝を設けるとともに、該配線溝を複数に分割された長さの異なる蓋体で被覆するもので、余分な配線を蓋体の下に収納するとともに、長さの異なる蓋体を入れ替えることによって、ＯＡ機器用の信号コードや電源コードを天板の任意の位置で外側に導出するようになっている。
【０００３】
しかしながら、上記従来の机は、長さの異なる蓋体を入れ替えることによって、天板の任意の位置で外側に配線を導出できるとしても、蓋体の入れ替えにも限度があることから、天板の全ての位置から配線を導出することはできず、また、数種類の蓋体を形成しなければならないことから机の製造コストが高くなるという問題があった。
【特許文献１】特開平１１−２０６４６３号公報
【発明の開示】
【発明が解決しようとする課題】
【０００４】
本発明は、上記従来の机が有する問題点に鑑み、天板のどの位置から配線を導出しても収納することができ、かつその製造コストを低減することができる机を提供することを目的とする。
【課題を解決するための手段】
【０００５】
上記目的を達成するため、本発明の机は、天板の後端とビーム部材との間に配線を挿通させる配線溝を設けた机において、前記ビーム部材の前面に、配線を支持する複数のフック状の支持部材をビーム部材の長手方向に摺動可能に配設したことを特徴とする。
【０００６】
この場合において、支持部材の側部に、隣接する支持部材を繋ぐ連結部を設けることができる。
【発明の効果】
【０００７】
本発明の机によれば、天板の後端とビーム部材との間に配線を挿通させる配線溝を設けた机において、前記ビーム部材の前面に、配線を支持する複数のフック状の支持部材をビーム部材の長手方向に摺動可能に配設することから、支持部材を任意の位置に摺動移動させることにより、天板のどの位置から配線を導出しても載置して収納することができ、これにより、配線の弛みや垂れをなくして、机上を整頓し美観を向上させることができる。
また、複数の同型の支持部材をビーム部材に摺動可能に装着するだけで配線収納部を構成しうることから、机の製造コストを大幅に低減することができる。
【０００８】
また、支持部材の側部に、隣接する支持部材を繋ぐ連結部を設けることにより、複数の支持部材を連結して載置面積を広げ、例えば、テーブルタップ等の比較的大きな部材を載置することができる。
【発明を実施するための最良の形態】
【０００９】
以下、本発明の机の実施の形態を、図面に基づいて説明する。
【実施例１】
【００１０】
図１〜図３に、本発明の机の一実施例を示す。
この机は、左右の脚部１をパイプフレーム２により固定するとともに、該脚部１の後端にビーム部材３を固定し、該ビーム部材３の前方で天板４を脚部１のアーム５に固定している。
そして、この机は、天板４の後端とビーム部材３との間に配線を挿通させる配線溝６を形成するとともに、前記ビーム部材３の前面に、配線を支持する複数のフック状の支持部材７をビーム部材３の長手方向に摺動可能に配設している。
【００１１】
ビーム部材３はアルミの押し出し成形材からなり、その前部には、支持部材７を摺動可能に係止する凹溝３１が形成されている。凹溝３１の縁部には溝の幅方向に凸条３２が突設されており、該凸条３２には、後述する支持部材７の爪部７４が摺動可能に掛合する。
【００１２】
支持部材７は、可撓性を有する合成樹脂からなり、ビーム部材３の前面に配設される背板７１と、該背板７１の下端から水平に延設された支持片７２と、該支持片７２の先端で立設された起立片７３とを備えている。
【００１３】
背板７１は、上下２条の爪部７４と、該爪部７４の間に下側の爪部７４に近接して設けられた凸部７５とを備え、前記ビーム部材３の凸条３２に爪部７４を掛止するとともに、凸部７５をビーム部材３の凹溝３１に当接させることにより爪部７４の掛止が外れるのを防止するようにしている。
なお、支持片７２は、爪部７４の凸条３２への掛止（挟持）の強さや凸部７５の凹溝３１への当接の強さを変えることにより、支持片７２をビーム部材３の長手方向に摺動させる場合に必要な力の大きさを自由に設定することができる。
【００１４】
支持片７２の両側部には、隣接する支持部材７を繋ぐタブ状の連結部７６ａ、７６ｂが突設されており、隣り合う一方の支持片７２の連結部７６ａを他方の支持片７２の連結部７６ｂに重ね合わせるとともに、連結部７６ａの下面に形成した突部を、連結部７６ｂに形成した孔部に嵌入することにより、支持部材７同士を連結してその載置面積を広げることができるようにしている。
そして、このようにして、複数の支持部材７同士を連結してその載置面積を大きく広げることによって、例えば、テーブルタップ等の比較的大きな部材を支持片７２上に載置することができる。
【００１５】
また、支持片７２には、特に限定されるものではないが、例えば、連結部７６ａ側の支持片７２の側縁部には、結束用コードバンド等を掛け止めるための小突起７７を設けるようにする。
これにより、支持片７２上に支持した配線を垂下する場合に、配線を安定して固定、支持することができる。
【００１６】
起立片７３は支持片７２の上下に突設されており、支持片７２からの配線の脱落を防止するとともに、配線を巻回して固定することもできる。
【００１７】
かくして、本実施例の机は、天板４の後端とビーム部材３との間に配線を挿通させる配線溝６を設けた机において、前記ビーム部材３の前面に、配線を支持する複数のフック状の支持部材７をビーム部材３の長手方向に摺動可能に配設することから、支持部材７を任意の位置に摺動移動させることにより、天板４のどの位置から配線を導出しても載置して収納することができ、これにより、配線の弛みや垂れをなくして、机上を整頓し美観を向上させることができる。
【００１８】
また、複数の同型の支持部材７をビーム部材３に摺動可能に装着するだけで配線収納部を構成しうることから、机の製造コストを大幅に低減することができる。
【００１９】
そして、支持部材７の側部に、隣接する支持部材７を繋ぐ連結部７６を設けることにより、複数の支持部材７を連結して載置面積を広げ、例えば、テーブルタップ等の比較的大きな部材を載置することができる。
【００２０】
以上、本発明の机について、その実施例に基づいて説明したが、本発明は上記実施例に記載した構成に限定されるものではなく、実施例に記載した構成を適宜組み合わせる等、その趣旨を逸脱しない範囲において適宜その構成を変更することができる。
【産業上の利用可能性】
【００２１】
本発明の机は、天板のどの位置から配線を導出しても収納することができ、かつ机の製造コストを低減することができるという特性を有していることから、例えば、パソコン等を使用する事務机の用途に好適に用いることができるほか、その他の机の用途にも用いることができる。
【図面の簡単な説明】
【００２２】
【図１】本発明の机の一実施例を示し、（ａ）はその分解斜視図、（ｂ）は後ろから見た斜視図である。
【図２】同実施例の要部を示し、（ａ）はビーム部材と支持部材を示す部分斜視図、（ｂ）は支持部材の連結を示す分解斜視図である。
【図３】ビーム部材と支持部材を示し、（ａ）は支持部材を連結した状態を示す部分斜視図、（ｂ）は支持部材を単独で使用する状態を示す部分斜視図である。
【符号の説明】
【００２３】
１    脚部
２    パイプフレーム
３    ビーム部材
３１  凹溝
３２  凸条
４    天板
５    アーム
６    配線溝
７    支持部材
７１  背板
７２  支持片
７３  起立片
７４  爪部
７５  凸部
７６ａ  連結部
７６ｂ  連結部
７７  小突起
【図１】
2006180968.tif 000003
【図２】
2006180968.tif 000004
【図３】
2006180968.tif 000005